(57)【要約】【課題】圧縮式サイクルと自然循環式サイクルを併設し、冷暖房能力を発揮させるとともに、室温以下の外気温度とその室温との差が小さいときでも除湿能力を高めること。【解決手段】圧縮機１、第１の流路切替弁２、熱源側熱交換器４、第１の流量調整弁５、第２の利用側熱交換器７、第２の流量調整弁９、第３の利用側熱交換器８の順に接続する環状サイクルを形成し、第１の流路切替弁２に加えて、その第１の流路切替弁２と熱源側熱交換器４の間に第２の流路切替弁３を新たに設け、第２の流路切替弁３と第１の流量調整弁５の間に新たに第１の利用側熱交換器６を設ける構成とする。この構成によって、冷／暖房ピーク時には、すべての熱交換器を用いて圧縮式サイクルを形成し、自然循環式サイクルと圧縮式サイクルを併用して外気温度と室温の差が小さいときでも除湿能力を確保する。【選択図】図１
2011085294.tif 000002
【特許請求の範囲】
【請求項１】
圧縮機と、熱搬送媒体と熱交換させて熱を利用する３つの利用側熱交換器と、前記利用側熱交換器への熱を吸放熱するために熱搬送媒体と熱交換する熱源側熱交換器と、冷媒の流路方向を切り替える２つの流路切替弁と、冷媒の圧力又は流量を調整する２つの流量調整弁と、を備え、
前記圧縮機、前記２つの流路切替弁の内の第１の流路切替弁、前記熱源側熱交換器、前記２つの流量調整弁の内の第１の流量調整弁、前記３つの利用側熱交換器の内の第２の利用側熱交換器、第２の流量調整弁、第３の利用側熱交換器、前記圧縮機の順に接続する環状サイクルを形成し、
前記第１の流路切替弁は、前記圧縮機から前記熱源側熱交換器への流路と、前記圧縮機から前記第３の利用側熱交換器への流路を切替えるために、前記圧縮機と前記熱源側熱交換器の間と前記圧縮機から前記第３の利用側熱交換器の間に設けられ、
前記第１の流路切替弁と前記熱源側熱交換器の間と、前記第１の流量調整弁と前記第２の利用側熱交換器の間に、前記２つの流路切替弁の内の第２の流路切替弁を設け、
前記第２の流路切替弁と前記第１の流量調整弁の間に前記３つの利用側熱交換器の内の第１の利用側熱交換器を設ける構成とする
ことを特徴とする空気調和装置。
【請求項２】
請求項１において、
前記第２の流路切替弁の切り替えによって、
前記圧縮機、前記第１の流路切替弁、前記第２の流路切替弁、前記熱源側熱交換器、第１の流量調整弁、前記第１の利用側熱交換器、第２の利用側熱交換器、前記第２の流量調整弁、第３の利用側熱交換器、前記圧縮機から形成される大ループと、
前記圧縮機、前記第１の流路切替弁、前記第２の流路切替弁、第２の利用側熱交換器、前記第２の流量調整弁、第３の利用側熱交換器、前記圧縮機からなる第１の小ループ、及び前記第２の流路切替弁、前記熱源側熱交換器、第１の流量調整弁、前記第１の利用側熱交換器、前記第２の流路切替弁からなる第２の小ループから形成される小ループと、を構成する
ことを特徴とする空気調和装置。
【請求項３】
請求項２において、
前記第１〜第３の利用側熱交換器を用いて冷却除湿と再加熱を行う再熱除湿運転モードの実行の際に、外気温度に基づいて、前記第２の流路切替弁の流路切り替えと、前記第１の流量調整弁及び第２の流量調整弁の開度調整によって、前記大ループを形成する圧縮機による単独運転と、前記第１の小ループを形成する圧縮機による単独運転と前記第２の小ループを形成する自然循環式運転との併用運転と、のいずれかの運転を選択可能とする
ことを特徴とする空気調和装置。
【請求項４】
請求項１、２または３において、
前記熱源側熱交換器は、前記第１の利用側熱交換器よりも高い位置に配置されることを特徴とする空気調和装置。
【請求項５】
請求項３において、
前記併用運転の場合、前記第１の流量調整弁の開度と前記圧縮機の回転数により、除湿量と加熱量を制御することを特徴とする空気調和装置。
【請求項６】
請求項３において、
前記併用運転の場合、前記第１の流量調整弁の開度と前記第２の流量調整弁の開度により、除湿量と加熱量を制御することを特徴とする空気調和装置。
【請求項７】
請求項２において、
前記第１〜第３の利用側熱交換器を用いて冷却除湿と再加熱を行う再熱除湿運転モードの実行の際に、外気温度に基づいて、前記第２の流路切替弁の流路切り替えと、前記第１の流量調整弁及び第２の流量調整弁の開度調整によって、前記大ループを形成する圧縮機による単独運転と、前記第１の小ループを形成する圧縮機による単独運転と、のいずれかの運転を選択可能とする
ことを特徴とする空気調和装置。
【請求項８】
請求項７において、
前記第１の小ループを形成する圧縮機による単独運転の場合、前記圧縮機の回転数により除湿量と加熱量を制御することを特徴とする空気調和装置。
【請求項９】
前記第１の小ループを形成する圧縮機による単独運転の場合、前記第２の流量調整弁の開度により除湿量と加熱量を制御することを特徴とする空気調和装置。
【請求項１０】
請求項２において、
前記第１〜第３の利用側熱交換器を用いて冷却除湿と再加熱を行う再熱除湿運転モードの実行の際に、外気温度に基づいて、前記第２の流路切替弁の流路切り替えと、前記第１の流量調整弁及び第２の流量調整弁の開度調整によって、前記第１の小ループを形成する圧縮機による単独運転と、前記第２の小ループを形成する自然循環式運転と、のいずれかの運転を選択可能とする
ことを特徴とする空気調和装置。
【請求項１１】
請求項１または２において、
前記熱源側熱交換器に対して、他の熱源システムの吸熱部を並列に接続することを特徴とする空気調和装置。
【請求項１２】
請求項１または２において、
前記第１、第２及び第３の利用側熱交換器は、利用側送風機による空気の流れ方向に並行して配置されていることを特徴とする空気調和装置。
【請求項１３】
請求項１または２において、
前記第１、第２及び第３の利用側熱交換器は、液配管を介してそれぞれ二次の利用側熱交換器と並列に設置され、前記二次の利用側熱交換器は熱搬送媒体と熱交換されて熱利用される
ことを特徴とする空気調和装置。
【発明の詳細な説明】
【技術分野】
【０００１】
本発明は、例えば住宅や事務所ビルなどの空調システムと給湯空調システムに係り、自然循環式サイクルと圧縮式サイクルにより、冷房（冷却）、暖房（加熱）、等温除湿（冷却除湿・再加熱）、外気冷房（外気冷却）、自然循環式・圧縮式併用等温除湿（自然循環式・圧縮式併用冷却除湿・再加熱）の運転が可能な空調システム、又は給湯空調システムをも含めた統合システムを効率的に稼働させるシステムに関する。
【背景技術】
【０００２】
圧縮機を使用しない自然循環運転と圧縮機による強制循環運転とを使い分ける空気調和装置の従来技術として、例えば、特許文献１に示すように、膨張弁をバイパスする膨張弁バイパス回路を設け、外気温度と室内温度に基づいて膨張弁バイパス回路に切り換えて自然循環運転を行うことにより、年間消費電力を低減しようとする技術が開示されている。この特許文献１によると、圧縮機と、凝縮器と、膨張弁と、凝縮器よりも下方に配置した蒸発器と、蒸発器、圧縮機、および凝縮器に接続する回路接続手段と、膨張弁をバイパスする膨張弁バイパス回路とを備え、自然循環式サイクルでの運転の際には膨張弁バイパス回路に接続すると共に回路接続手段で蒸発器と凝縮器を接続して冷媒回路を構成し、圧縮式サイクル運転の際には膨張弁に接続すると共に回路接続手段で蒸発器と圧縮機を接続して冷媒回路を構成する空気調和機が示されている。そして、この特許文献１には、外気温度と室内温度に応じて自然循環式サイクルと圧縮式サイクルを切り替えることが開示され、室内温度が室外温度よりも高い場合に自然循環式サイクル運転をすることで年間消費電力を大幅に削減できる旨が開示されている。
【０００３】
また、自然循環式サイクルと圧縮式サイクル（強制循環式サイクル）とを併用する空気調和装置の他の従来技術として、例えば、特許文献２には、室外熱交換器より低い位置にある室内熱交換器を、冷媒配管にて室外熱交換器に環状に接続し、冷媒配管の途中に膨張弁を設けて、室外熱交換器を別装置の圧縮冷凍機の蒸発熱交換器と密結合して、冷媒凝縮過程を効率化して冷却除湿能力を高めることが提案されている。
【０００４】
そして、この特許文献２には、冷媒圧縮強制循環の空気調和装置の室内熱交換器に冷媒自然循環冷却除湿装置の室内熱交換器を併設し、暖房室内熱交換器に冷媒自然循環冷却除湿装置の室内熱交換器を併設して除湿暖房機能を付加する技術も開示されている。さらに、自然循環式サイクルの室外熱交換器（凝縮器）を圧縮式サイクルの蒸発器と密接させ室外熱交換器を効率良く冷却することで、室温と外気の温度差が小さい場合にも、冷却除湿能力を確保する旨が開示されている。さらに、自然循環式サイクルとは別に圧縮式サイクルを併設し、自然循環式サイクルで室内熱交換器を用いて冷却除湿を行うと同時に、圧縮式サイクルで暖房運転し.暖房除湿運転を可能することが提案されている。
【先行技術文献】
【特許文献】
【０００５】
【特許文献１】特開平１１−１８２８９５号公報
【特許文献２】特開平１０−３００１２８号公報
【発明の概要】
【発明が解決しようとする課題】
【０００６】
ところで、近年、一般の住宅では高断熱・高気密化が進み、暖房負荷が減少している。すなわち、小さい能力の空気調和装置で暖房することが可能となり、空調にかかる消費電力を抑えることができるようになった。しかしながら、冷房負荷は増大する傾向にあり、特に、中間期における潜熱負荷を除去するために室内露点以下まで蒸発温度を下げた運転を行いながら、部屋を冷やし過ぎないように再加熱する再熱除湿をする必要があり、消費電力が増大している。
【０００７】
また一方で、空気調和機による冷暖房並びに除湿運転の外に、多熱源・多温度空調システム、すなわち太陽熱、地熱、バイオマスエネルギー等の再生可能エネルギをも利用して空気調和運転（冷房運転、暖房運転、冷房等温除湿運転、暖房等温除湿運転、外気冷房運転、外気等温除湿運転）を実施して省エネ性を確保することが求められている。
【０００８】
そこで、夏期と冬期の中間期などのように外気温度が低い時期に効率の良い運転として、上記の特許文献１，２に挙げるような空気調和装置が提案されているが、上記の特許文献１では、外気温に応じて自然循環式サイクルと圧縮式サイクルを切り替えることで省エネ運転が可能であるが、暖房運転や等温除湿運転については記載されておらず、運転汎用性についての配慮がされていない。
【０００９】
また、特許文献２では、自然循環式サイクルと圧縮式サイクルを併設しており、冷房及び暖房ピーク時には自然循環式サイクルが使用される構成とはなっておらず、熱交換機能が有効に活用され得ない。さらに、引用文献２に示す併用空調機において、外気温が室温以下となり、自然循環式による外気冷房運転を行う場合、外気温度が室内の露点温度以上のときに除湿能力が得られないという課題が生じる。
【００１０】
本発明は、圧縮式サイクルと自然循環式サイクルとを併設した空気調和装置において、冷暖房のピーク時に圧縮式サイクルを利用して冷暖房能力を発揮させるとともに、外気温度が室内温度以下の場合に、自然循環式サイクルと圧縮式サイクルを併用することで、外気温度と室内温度の差が小さいときでも除湿能力を高め、さらに、再生可能エネルギを活用して空調機能の省エネ性を確保する空気調和装置を提供することにある。
【課題を解決するための手段】
【００１１】
前記課題を解決するために、本発明は主として次のような構成を採用する。  
圧縮機と、熱搬送媒体と熱交換させて熱を利用する３つの利用側熱交換器と、前記利用側熱交換器への熱を吸放熱するために熱搬送媒体と熱交換する熱源側熱交換器と、冷媒の流路方向を切り替える２つの流路切替弁と、冷媒の圧力又は流量を調整する２つの流量調整弁と、を備え、前記圧縮機、前記２つの流路切替弁の内の第１の流路切替弁、前記熱源側熱交換器、前記２つの流量調整弁の内の第１の流量調整弁、前記３つの利用側熱交換器の内の第２の利用側熱交換器、第２の流量調整弁、第３の利用側熱交換器、前記圧縮機の順に接続する環状サイクルを形成し、前記第１の流路切替弁は、前記圧縮機から前記熱源側熱交換器への流路と、前記圧縮機から前記第３の利用側熱交換器への流路を切替えるために、前記圧縮機と前記熱源側熱交換器の間と前記圧縮機から前記第３の利用側熱交換器の間に設けられ、
前記第１の流路切替弁と前記熱源側熱交換器の間と、前記第１の流量調整弁と前記第２の利用側熱交換器の間に、前記２つの流路切替弁の内の第２の流路切替弁を設け、前記第２の流路切替弁と前記第１の流量調整弁の間に前記３つの利用側熱交換器の内の第１の利用側熱交換器を設ける構成とする。
【００１２】
また、前記空気調和装置において、前記第２の流路切替弁の切り替えによって、前記圧縮機、前記第１の流路切替弁、前記第２の流路切替弁、前記熱源側熱交換器、第１の流量調整弁、前記第１の利用側熱交換器、第２の利用側熱交換器、前記第２の流量調整弁、第３の利用側熱交換器、前記圧縮機から形成される大ループと、前記圧縮機、前記第１の流路切替弁、前記第２の流路切替弁、第２の利用側熱交換器、前記第２の流量調整弁、第３の利用側熱交換器、前記圧縮機からなる第１の小ループ、及び前記第２の流路切替弁、前記熱源側熱交換器、第１の流量調整弁、前記第１の利用側熱交換器、前記第２の流路切替弁からなる第２の小ループから形成される小ループと、を構成する。
【００１３】
また、前記空気調和装置において、前記第１〜第３の利用側熱交換器を用いて冷却除湿と再加熱を行う再熱除湿運転モードの実行の際に、外気温度に基づいて、前記第２の流路切替弁の流路切り替えと、前記第１の流量調整弁及び第２の流量調整弁の開度調整によって、前記大ループを形成する圧縮機による単独運転と、前記第１の小ループを形成する圧縮機による単独運転と前記第２の小ループを形成する自然循環式運転との併用運転と、のいずれかの運転を選択可能とする構成とする。
【００１４】
また、前記熱源側熱交換器は、前記第１の利用側熱交換器よりも高い位置に配置される構成とする。さらに、前記第１〜第３の利用側熱交換器を用いて冷却除湿と再加熱を行う再熱除湿運転モードの実行の際に、外気温度に基づいて、前記第２の流路切替弁の流路切り替えと、前記第１の流量調整弁及び第２の流量調整弁の開度調整によって、前記大ループを形成する圧縮機による単独運転と、前記第１の小ループを形成する圧縮機による単独運転と、のいずれかの運転を選択可能とする構成とする。さらに、前記第１〜第３の利用側熱交換器を用いて冷却除湿と再加熱を行う再熱除湿運転モードの実行の際に、外気温度に基づいて、前記第２の流路切替弁の流路切り替えと、前記第１の流量調整弁及び第２の流量調整弁の開度調整によって、前記第１の小ループを形成する圧縮機による単独運転と、前記第２の小ループを形成する自然循環式運転と、のいずれかの運転を選択可能とする構成とする。
【００１５】
また、前記空気調和装置において、前記熱源側熱交換器に対して、他の熱源システムの吸熱部を並列に接続する構成とする。さらに、前記第１、第２及び第３の利用側熱交換器は、利用側送風機による空気の流れ方向に並行して配置されている構成とする。さらに、前記第１、第２及び第３の利用側熱交換器は、液配管を介してそれぞれ二次の利用側熱交換器と並列に設置され、前記二次の利用側熱交換器は熱搬送媒体と熱交換されて熱利用される構成とする。
【発明の効果】
【００１６】
本発明によれば、利用側熱交換器と冷媒流路切替弁の配置構成、及びこれらの動作態様に工夫を凝らすことによって、冷房及び暖房ピーク時には冷房能力及び暖房能力を大いに発揮させることができ、さらに、外気温が室内温度以下の場合であって外気温度と室内温度の差が小さいときにおいても除湿能力を確保することができる。
【００１７】
また、再生可能エネルギを活用して空調機能の省エネ性を図ることができ、年間を通して消費電力の少ない空調を可能とすることができる。
【図面の簡単な説明】
【００１８】
【図１】本発明の第１の実施形態に係る空気調和装置を構成する各構成要素とそれらの接続関係を表す基本構成図である。
【図２】本発明の第１の実施形態に係る空気調和装置の運転モード（冷房、暖房）における各構成要素の動作を示す図である。
【図３】本発明の第１の実施形態に係る空気調和装置の運転モード（冷房、暖房）における冷媒流れと熱搬送媒体（空気）流れを示す動作図である。
【図４】本発明の第１の実施形態に係る空気調和装置の運転モード（冷却除湿・再加熱（冷・暖房大ループ））における各構成要素の動作を示す図である。
【図５】本発明の第１の実施形態に係る空気調和装置の運転モード（冷却除湿・再加熱（冷・暖房大ループ））における冷媒流れと空気流れを示す動作図である。
【図６】本発明の第１の実施形態に係る空気調和装置の運転モード（冷却除湿・再加熱（冷・暖房小ループ））における各構成要素の動作を示す図である。
【図７】本発明の第１の実施形態に係る空気調和装置の運転モード（冷却除湿・再加熱（冷・暖房小ループ））における冷媒流れと空気流れを示す動作図である。
【図８】本発明の第１の実施形態に係る空気調和装置の運転モード（外気冷却）における各構成要素の動作を示す図である。
【図９】本発明の第１の実施形態に係る空気調和装置の運転モード（外気冷却）における冷媒流れと空気流れを示す動作図である。
【図１０】本発明の第１の実施形態に係る空気調和装置の運転モード（外気冷却・冷却除湿・再加熱）における各構成要素の動作を示す図である。
【図１１】本発明の第１の実施形態に係る空気調和装置の運転モード（外気冷却・冷却除湿・再加熱）における冷媒流れと空気流れを示す動作図である。
【図１２】本発明の第２の実施形態に係る空気調和装置における各構成要素の配置構成を示す構成例１のブロック図である。
【図１３】第２の実施形態に係る空気調和装置における各運転モードでの運転可能領域を表す図である。
【図１４】第２の実施形態に係る空気調和装置における各構成要素の配置構成を示す構成例２のブロック図である。
【図１５】本発明の第３の実施形態に係る空気調和装置における各構成要素の配置構成を示す構成例１のブロック図である。
【図１６】第３の実施形態に係る空気調和装置における各構成要素の配置構成を示す構成例２のブロック図である。
【図１７】第３の実施形態に係る空気調和装置における各構成要素の配置構成を示す構成例３のブロック図である。
【図１８】本発明の第４の実施形態に係る空気調和装置における各構成要素の配置構成を示すブロック図である。
【発明を実施するための形態】
【００１９】
［本発明の第１の実施形態］
本発明の第１の実施形態に係る空気調和装置の構成、機能及び動作に関する概要について、図１を用いて説明する。図１において、１は冷媒用の容量可変型圧縮機、２及び３は四方弁等からなり流路方向を切替えるための第１の流路切替弁および第２の流路切替弁、４は利用側への熱を吸放熱するために空気や水と熱交換する熱源側熱交換器、５は圧縮式サイクルでは膨張弁として自然循環式サイクルでは流量調整弁として作用する第１の流量調整弁、６から８は空気や水などの熱搬送媒体と熱交換させて熱を利用するための第１から第３の利用側熱交換器、９は膨張弁などの第２の流量調整弁、をそれぞれ表す。
【００２０】
また、上記の各構成要素（機器）の内で冷凍サイクルを構成する構成要素については冷媒配管１０から１６でそれぞれ接続される。すなわち、第１の流路切替弁２は、圧縮機１の吐出配管と吸込配管および冷媒配管１０，１６の一方と接続され、第２の流路切替弁３は冷媒配管１０，１１，１４，１５の一方と接続される。また、冷媒配管１１の他方は熱源側熱交換器４と接続され、冷媒配管１４の他方は第１の利用側熱交換器６と接続され、冷媒配管１５の他方は第２の利用側熱交換器７と接続されている。
【００２１】
また、冷媒配管１２は一方を熱源側熱交換器４、他方を第１の流量調整弁５と接続され、冷媒配管１３は一方を第１の流量調整弁５、他方を第１の利用側熱交換器６と接続され、冷媒配管１６は、一方を第３の利用側熱交換器８、他方を第１の流路切替弁２と接続されている。
【００２２】
また、熱源側熱交換器４は、自然循環式サイクルの際、液化した冷媒を第１の利用側熱交換器６へ戻すため、第１の利用側熱交換器６よりも高低差で高い位置に設置されている。
【００２３】
ここにおいて、従来の汎用的な冷凍サイクルについて、図１を参照して説明すると、この汎用的冷凍サイクルは、圧縮機１と、第１の流路切替弁２と、熱源側熱交換器４と、流量調整弁５と、利用側熱交換器７，８と、流量調整弁９と、から構成されるものであって、除湿サイクルにおいては、第１の流路切替弁２の切り替えと、流量調整弁５と９の全開調整と絞り調整とによって、冷却除湿・再加熱（冷房サイクル利用）、冷却除湿・再加熱（暖房サイクル利用）、自然循環式除湿、の３つの除湿モードを形成するものであった。
【００２４】
本発明の第１の実施形態の主たる特徴について端的に云えば、図１を参照すると、第２の流路切替部３と第１の利用側熱交換器６とを図示のような位置に新たに設置し、これらを適宜に動作させることによって、以下に詳細に説明するように、冷房及び暖房ピーク時における冷房及び暖房運転を含めて種々の運転モードを形成できるようにし、特に、外気温度と室温温度の差が小さいときにおいても除湿機能を確保できるような構成と機能を備えるものである。すなわち、利用側熱交換器が室内ユニットに配置されている場合、図２に示す運転モード２０１（圧縮式単独の冷房モード）と運転モード２０２（圧縮式単独の暖房モード）の外に、図４に示す運転モード２０３（圧縮式単独の冷却除湿・再加熱モード（冷房大ループ））と運転モード２０４（圧縮式単独の冷却除湿・再加熱モード（暖房大ループ））、図６に示す運転モード２０５（圧縮式単独の冷却除湿・再加熱モード（冷・暖房小ループ））、図８に示す運転モード２０６（自然循環式単独の外気冷却（外気冷房））に加えてさらに、図１０に示す運転モード２０７（自然循環式・圧縮式併用の外気冷却・冷却除湿・再加熱）を形成することができるものである。
【００２５】
上述した運転モードの種々の形態について具体的に以下説明する。冷凍サイクルの冷媒と熱交換するのが空気である場合に、室内温度、室内湿度、外気温度に応じて、上述した複数の運転モードを適宜に切り替えることができる。
【００２６】
「運転モード２０１，２０２（圧縮式単独の冷房、暖房）」で動作する場合（図２と図３）
図２の運転モード２０１は、圧縮式単独での運転モードであり、冷媒の循環経路は図３の実線矢印の向きである。このモードでは、まず、第１の流路切替弁２により、圧縮機１の吐出配管と冷媒配管１０、圧縮機１の吸込配管と冷媒配管１６、がそれぞれ接続され、第２の流路切替弁３により、冷媒配管１０と冷媒配管１１、冷媒配管１４と冷媒配管１５がそれぞれ接続される。続いて第１の流量調整弁５は所定の開度に、第２の流量調整弁９は全開に調整される。
【００２７】
圧縮機１より吐出された高温高圧のガス冷媒は、冷媒配管１０，１１を経由して熱源側熱交換器４で経路３０１を通る熱搬送媒体（例えば、空気又は水など）へ放熱することで凝縮し、熱源側熱交換器４出口で液化して、冷媒配管１２を経由して所定の開度に調整された第１の流量調整弁５で減圧、膨張し、気液二相状態で第１の利用側熱交換器６へ流入する。
【００２８】
第１の利用側熱交換器６へ流入した気液二相冷媒は、冷媒配管１４，１５を経由して、第２と第３の利用側熱交換器７，８を流れる間に、経路３００を通る熱搬送媒体から吸熱することで蒸発し、第３の利用側熱交換器８の出口でガス化し、冷媒配管１６を経由して圧縮機１の吸込配管より、圧縮機１へ流入、圧縮されてサイクルが成立する。
【００２９】
このモードでは、経路３０１を通る熱源側熱搬送媒体は加熱され、経路３００を通る利用側熱搬送媒体は冷却される（第１から第３の利用側熱交換器６から８が室内ユニットに配置されているので、冷房モードとなる）。
【００３０】
次に、図２の運転モード２０２は、圧縮式単独での運転モードであり、冷媒の循環経路は図３の破線矢印の向きである。運転モード２０１と経路が逆向きのサイクルであり、第１の流路切替弁２により、圧縮機１の吐出配管と冷媒配管１６、圧縮機１の吸込配管と冷媒配管１０、にそれぞれ接続すること以外は、運転モード２０１と同様である。
【００３１】
圧縮機１より吐出された高温高圧のガス冷媒は、第３の利用側熱交換器８より流入し、第２の利用側熱交換器７、第１の利用側熱交換器６の順に流れる間に経路３００を通る熱搬送媒体へ放熱することで凝縮し、第１の利用側熱交換器６の出口で液化して、第１の流量調整弁５で減圧膨張し、気液二相状態となる。熱源側熱交換器４へ流入した気液二相冷媒は、経路３０１を通る熱搬送媒体より、吸熱することで蒸発し、熱源側熱交換器４の出口でガス化して圧縮機１へ戻り、サイクルが成立する。
【００３２】
このモードでは、経路３０１を通る熱源側熱搬送媒体は冷却され、経路３００を通る利用側熱搬送媒体は加熱される（第１から第３の利用側熱交換器６から８が室内ユニットに配置されているので、暖房モードとなる）。
【００３３】
「運転モード２０３，２０４（圧縮式単独の冷却除湿・再加熱モード（冷房大ループ）、圧縮式単独の冷却除湿・再加熱モード（暖房大ループ）」で動作する場合（図４と図５）
図４の運転モード２０３は、圧縮式単独での運転モードであり、冷媒の循環経路は図５の実線矢印の向きである。この運転モード２０３では、まず、第１の第１の流路切替弁２により、圧縮機１の吐出配管と冷媒配管１０、圧縮機１の吸込配管と冷媒配管１６が接続され、第２の流路切替弁３により、冷媒配管１０と冷媒配管１１、冷媒配管１４と冷媒配管１５がそれぞれ接続される。続いて第１の流量調整弁５は全開に、第２の流量調整弁９は所定の開度に調整される。
【００３４】
圧縮機１より吐出された高温高圧のガス冷媒は、熱源側熱交換器４で経路３０１を通る熱搬送媒体へ放熱することで凝縮し、気液二相状態で第１の利用側熱交換器６へ流入する。第１の利用側熱交換器６へ流入した気液二相冷媒は、経路３０４を通る熱搬送媒体へ放熱することでさらに凝縮する。続いて、第２の利用側熱交換器７へ流入する気液二相冷媒は、経路３０３を通る熱搬送媒体へ放熱することでさらに凝縮し、第２の利用側熱交換器７の出口で液化する。
【００３５】
液化した冷媒は、第２の流量調整弁９で減圧、膨張し、気液二相状態にとなる。気液二相冷媒は第３の利用側熱交換器８で、経路３０２を通る熱搬送媒体から吸熱することで蒸発し、第３の利用側熱交換器８の出口でガス化し、圧縮機１へ流入、圧縮されてサイクルが成立する。
【００３６】
この運転モード２０３では、経路３０１を通る熱源側熱搬送媒体は加熱され、経路３０２を通る利用側熱搬送媒体は冷却され、経路３０３，３０４を通る利用側熱搬送媒体は加熱される（この運転モード２０３は、圧縮式単独の冷房大ループを用いた冷却除湿・再加熱モードである）。
【００３７】
次に、図４の運転モード２０４は、圧縮式単独での運転モードであり、冷媒の循環経路は図５の破線矢印の向きであり、運転モード２０３と経路が逆向きのサイクルである。第１の流路切替弁２により、圧縮機１の吐出配管と冷媒配管１６、圧縮機１の吸込配管と冷媒配管１０に接続すること以外は、運転モード２０３と同様である。
【００３８】
圧縮機１より吐出された高温高圧のガス冷媒は、第３の利用側熱交換器８で、経路３０２を通る熱搬送媒体へ放熱することで凝縮し、第３の利用側熱交換器８の出口で液化する。液化した冷媒は、第２の流量調整弁９で減圧、膨張し、気液二相状態になる。気液二相冷媒は、第２の利用側熱交換器７、第１の利用側熱交換器６で、それぞれ経路３０３，３０４を通る熱搬送媒体から吸熱することで蒸発し、さらに、熱源側熱交換器４で経路３０１を通る熱搬送媒体から吸熱することで蒸発し、熱源側熱交換器４の出口でガス化して圧縮機１へ戻り、サイクルが成立する。
【００３９】
この運転モード２０４では、経路３０１を通る熱源側熱搬送媒体は冷却され、経路３０２を通る利用側熱搬送媒体は加熱され、経路３０３，３０４を通る利用側熱搬送媒体は冷却される（この運転モード２０４は、圧縮式単独の暖房大ループを用いた冷却除湿・再加熱モードである）。
【００４０】
「運転モード２０５（圧縮式単独の冷却除湿・再加熱モード（冷・暖房小ループ）」で動作する場合（図６と図７）
図６の運転モード２０５は、圧縮式単独での運転モードであり、冷媒の循環経路は図７の実線矢印の向きである。このモードでは、まず、第１の流路切替弁２により、圧縮機１の吐出配管と冷媒配管１０、圧縮機１の吸込配管と冷媒配管１６がそれぞれ接続され、第２の流路切替弁３により、冷媒配管１０と冷媒配管１５、冷媒配管１４と冷媒配管１１がそれぞれ接続される。続いて、第２の流量調整弁９は所定の開度に調整される。
【００４１】
圧縮機１より吐出された高温高圧のガス冷媒は、第２の利用側熱交換器７で経路３０３を通る熱搬送媒体へ放熱することで凝縮し、第２の利用側熱交換器７の出口で液化する。液化した冷媒は第２の流量調整弁９で減圧膨張し、気液二相状態となる。気液二相冷媒は、第３の利用側熱交換器８で、経路３０２を通る熱搬送媒体から吸熱することで蒸発する。第３の利用側熱交換器８の出口でガス化し、圧縮機１へ流入、圧縮されてサイクルが成立する。
【００４２】
この運転モード２０５では、経路３０２を通る利用側熱搬送媒体は冷却され、経路３０３を通る利用側熱搬送媒体は加熱される。
【００４３】
さらに、この運転モード２０５では、循環経路が逆の破線矢印の向きでも同様の効果が得られる。ただし、その際、圧縮機１からの冷媒は、経路３０２を通る熱搬送媒体を加熱しながら第３の利用側熱交換器８で凝縮し、経路３０３を通る熱搬送媒体を冷却しながら第２の利用側熱交換器７で蒸発する（この運転モード２０５は、圧縮式単独の冷・暖房小ループを用いた冷却除湿・再加熱モードである）。
【００４４】
「運転モード２０６（自然循環式単独の外気冷却モード」で動作する場合（図８と図９）
図８の運転モード２０６は、自然循環式単独での運転モードであり、冷媒の循環経路は図９の実線矢印の向きである。この運転モード２０６では、まず、第２の流路切替弁３により、冷媒配管１０と冷媒配管１５、冷媒配管１４と冷媒配管１１がそれぞれ接続される。続いて第１の流量調整弁５は所定の開度に調整される。圧縮機１は停止される。
【００４５】
熱源側熱交換器４に滞留している冷媒は、経路３００を通る熱搬送媒体へ放熱し、凝縮、液化する。密度の大きい液冷媒は重力の影響を受け冷媒配管１２，１３を経由して利用側熱交換器６へ流入する。このとき、第１の流量調整弁５は、利用側熱交換器６で得たい交換熱量に応じて適宜調整される。
【００４６】
利用側熱交換器６へ流入した冷媒は、経路３００を通る熱搬送媒体より吸熱して蒸発し、凝縮側との密度差による圧力勾配により、冷媒配管１４，１１を上昇して熱源側熱交換器４へ流入することでサイクルが成立する。この運転モード２０６では、経路３００を通る利用側熱搬送媒体が冷却される。
【００４７】
「運転モード２０７（自然循環式・圧縮式併用の外気冷却・冷却除湿・再加熱モード（外気冷却ループと冷・暖房小ループ）」で動作する場合（図１０と図１１）
図１０の運転モード２０７は、自然循環式と圧縮式の併用運転モードであり、冷媒の循環経路は図１１の実線矢印の向きである。この運転モード２０７では、まず、第２の流路切替弁３により、冷媒配管１０と冷媒配管１５、冷媒配管１４と冷媒配管１１がそれぞれ接続される。続いて第１の流量調整弁５は所定の開度に調整される。
【００４８】
圧縮式サイクル側では、圧縮機１より吐出された高温高圧のガス冷媒は、第２の利用側熱交換器７で経路３０３を通る熱搬送媒体へ放熱することで凝縮し、第２の利用側熱交換器７の出口で液化する。液化した冷媒は、所定開度に調整された第２の流量調整弁９で減圧膨張し、気液二相状態となる。気液二相冷媒は、第３の利用側熱交換器８で、経路３０２を通る熱搬送媒体から吸熱することで蒸発する。第３の利用側熱交換器８の出口でガス化し、圧縮機１へ流入、圧縮されてサイクルが成立する。
【００４９】
一方、自然循環式サイクル側では、熱源側熱交換器４に滞留している冷媒は、経路３０１を通る熱搬送媒体へ放熱して、凝縮し液化する。密度の大きい液冷媒は重力の影響を受けて冷媒配管１２，１３を経由して利用側熱交換器６へ流入する。このとき、第１の流量調整弁５は、利用側熱交換器６で得たい交換熱量に応じて適宜調整される。
【００５０】
利用側熱交換器６へ流入した冷媒は、経路３０４を通る熱搬送媒体より吸熱して蒸発し、凝縮側との密度差による圧力勾配により、冷媒配管１４，１１を上昇して熱源側熱交換器４へ流入することでサイクルが成立する。
【００５１】
この運転モード２０７では、経路３０２，３０４を通る利用側熱搬送媒体は冷却され、経路３０３を通る利用側熱搬送媒体は加熱される。これにより、自然循環式による利用側熱交換器６での外気冷却（冷房）と、圧縮式による利用側熱交換器７及び８における加熱及び冷却での冷却除湿・再加熱と、が形成される。この運転モード２０７によると、外気温度が室内温度以下の場合に、自然循環式サイクルと圧縮式サイクルを併用することで、外気温度と室内温度の差が小さいときでも圧縮式による冷却除湿（冷却減湿）の作用によって除湿能力を高めることができる。
【００５２】
さらに、この運転モード２０７では、冷媒の循環経路が逆の破線矢印の向きでも同様の効果が得られる。ただしその際、圧縮機からの冷媒は、経路３０２を通る熱搬送媒体を加熱しながら第３の利用側熱交換器８で凝縮し、経路３０３を通る熱搬送媒体を冷却しながら第２の利用側熱交換器７で蒸発する。すなわち、経路３０３，３０４を通る利用側熱搬送媒体は冷却され、経路３０２を通る利用側熱搬送媒体は加熱される。
【００５３】
ここで、冷媒配管内の冷媒は、R４１０ａ等のフロン系冷媒、ＣＯ２等の炭化水素系冷媒などの常温で相変化する物質である。また、熱搬送媒体は、空気、水などをはじめ、熱を搬送できるものであれば良く、利用環境に応じて、エチレングリコールなどのブラインを用いても良い。
【００５４】
［本発明の第２の実施形態］
次に、本発明の第２の実施形態に係る空気調和装置について、図１２、図１３及び図１４を参照しながら以下詳細に説明する。図１２は本発明の第２の実施形態に係る空気調和装置における各構成要素の配置構成を示す構成例１のブロック図である。図１３は第２の実施形態に係る空気調和装置における各運転モードでの運転可能領域を表す図である。図１４は第２の実施形態に係る空気調和装置における各構成要素の配置構成を示す構成例２のブロック図である。
【００５５】
図１２に示す構成例１において、利用側熱搬送媒体と熱源側熱搬送媒体はともに空気である。符号１から１６までの各構成要素は、図１に示す第１の実施形態に係る空気調和装置の構成と同じである。ただし、第１から第３の利用側熱交換器６から８を内部に含むユニット１０１は本実施形態の空気調和装置の室内（被空調側）ユニットであり、圧縮機１、熱源側熱交換器４を含むユニット１００は本実施形態の空気調和装置の室外（熱源側）ユニットである。
【００５６】
したがって、冷媒配管１３から１６の一部は室内外ユニット１０１，１００を接続する配管となる。このとき、第２の流路切替弁３は、第１と第２の利用側熱交換器６，７の間の配管による圧力損失を抑えるため室内ユニット側に設置される。また、第１から第３の利用側熱交換器６から８は、利用側送風機２１からの利用側空気流れ３０５上流側から順に直列に配置されている。
【００５７】
図示した利用側送風機２１は熱交換器に空気を押し込む送風機であるが、室内ユニット１０１の形態にあわせて、熱交換器を介して空気吸い込む送風機でも良い。また、熱源側熱交換器４の熱源側熱搬送媒体は、熱源側送風機２０からの熱源側空気流れ３１０となる。以上のように構成された本発明の第２の実施形態の空気調和装置の運転モードに対する各構成要素の動作については、本発明の第１の実施形態で説明した各運転モードの動作と同じであるため、詳細な説明を省略する。
【００５８】
第２の実施形態に係る空気調和機は、図１３に示すとおり、設置される環境の室外温度および室内温度に対する設定温度に応じて、運転モードを任意に切り換えることができる。
【００５９】
＊室外温度Ｔhs−設定温度Ｔuser≧０かつ室内温度Ｔapp−設定温度Ｔuser≧０の場合
室内ユニット１０１は冷房運転となり、運転モードは２０１となる。例えば室外温度Ｔhs＝３５℃で設定温度Ｔuser＝２３℃、室内温度Ｔapp＝２７℃の場合である。このとき、第１から第３の利用側熱交換器６から８の冷媒側はすべて蒸発となり、利用側空気流れ３０５は冷却され、室内ユニット１０１は冷房運転となる。なお、図１３において、ｈｓはheat source、ａｐｐはapplication、ＨはHumidityの略語である。
【００６０】
室内温度と設定温度の差に応じて、圧縮機１の回転数を増減させることで、利用側熱交換器６から８の蒸発温度を調整することで、所定の設定温度を得ることができる。
【００６１】
＊室外温度Ｔhs−設定温度Ｔuser≧０かつ室内温度Ｔapp−設定温度Ｔuser≦０の場合
室内ユニット１０１は暖房運転となり、運転モードは２０２となる。例えば室外温度Ｔhs＝７℃で設定温度Ｔuser＝２３℃、室内温度Ｔapp＝２０℃の場合である。このとき、第１から第３の利用側熱交換器６から８の冷媒側はすべて凝縮となり、利用側空気流れ３０５は加熱される。
【００６２】
室内温度と設定温度の差に応じて、圧縮機１の回転数を増減させることで、利用側熱交換器６から８の蒸発温度を調整することで、所定の設定温度を得ることができる。
【００６３】
＊室外温度Ｔhs−設定温度Ｔuser≧０かつ室内湿度Ｈapp−設定湿度Ｈuser≧０の場合
室内ユニット１０１は再熱除湿（冷却除湿・再加熱）運転となり、運転モードは２０３または２０４となる。このモードにおいて、運転モード２０３は、第１と第２の利用側熱交換器６，７の冷媒側が凝縮、第３の利用側熱交換器８の冷媒側が蒸発であり、運転モード２０４は、第１と第２の利用側熱交換器６，７の冷媒側が蒸発、第３の利用側熱交換器８の冷媒側が凝縮となる。
【００６４】
第２の実施形態の場合、第１から第３の利用側熱交換器６から８は順に直列に設置されているため、運転モード２０４を選択することで再熱除湿（冷却除湿・再加熱）運転が可能となる。すなわち、利用側送風機２１より出た空気流れ３０５は、第１と第２の利用側熱交換器６，７で冷却・減湿され、第３の利用側熱交換器８で再加熱され、設定温湿度に調整される。なお、運転モード２０３の場合には、図１２に示す利用側熱交換器６，７，８の配置構成であると、利用側送風機２１の風上側に配置された利用側熱交換器６，７が凝縮であるので除湿ができず、この運転モード２０３では除湿機能を果たせないので、運転モード２０４を選択する。
【００６５】
第１と第２の利用側熱交換器６，７の蒸発温度、第３の利用側熱交換器８の凝縮温度は、圧縮機１および、熱源側熱交換器４の凝縮温度を熱源側送風機２０から出る熱源側空気流れ３１０の風量、あるいは第２の流量調整弁９の開度により任意に調整が可能である。
【００６６】
具体的には、例えば設定湿度Ｈuser＝４０％、室内湿度Ｈapp＝６０℃かつ設定温度Ｔuser＝２３℃、室内温度Ｔapp＝２５℃で、室内温度Ｔapp−設定温度Ｔuser≧０の場合、利用側送風機２１の風量を増加させて室外への放熱量を増すことで、第３の利用側熱交換器８の凝縮温度を低めにし、除湿しながら冷房運転を行う。あるいは、設定温度Ｔuser＝２３℃、室内温度Ｔapp＝２０℃であれば、利用側送風機２１の風量を減少させて室外への放熱量を減らすことで、第３の利用側熱交換器８の凝縮温度を高めにし、除湿しながら暖房運転を行う。
【００６７】
また、室外温度が低く、例えばＴhs≦０で設定湿度Ｈuser＝４０％、室内湿度Ｈapp＝６０℃の場合、運転モードを２０３または２０４とすると、運転モード２０３の場合に、熱源側熱交換器４の凝縮温度が下がりすぎ、第３の利用側熱交換器８で着霜することで熱交換器が目詰まりして、除湿ができなくなる。また、運転モード２０４では、熱源側熱交換器４の蒸発温度が下がり過ぎ、第１と第２の利用側熱交換器６，７とともに着霜することで熱交換器が目詰まりして、除湿ができなくなってしまう。
【００６８】
そこで、運転モード２０５を選択することで、冷媒は室外にある熱源側熱交換器４を通らないので（図６と図７を参照）、室外温度の影響を受けることなく運転が可能となる。この運転モード２０５では除湿しながら暖房運転を行うことが可能であり、この運転モード２０５の構成では、第２の利用側熱交換器７が蒸発、第３の利用側熱交換器８が凝縮となるように第１の流路切替弁２を切り換え、圧縮機１の回転数と第２の流量調整弁９の開度により、加熱量と除湿量を調整できる。
【００６９】
なお、再熱除湿（冷却除湿・再加熱）の運転モード２０５は、図６と図７に示すように、暖房サイクル（図７の点線矢印）の外に、冷房サイクル（図７の実線矢印）を用いたモードも選択可能であるが、いずれのモードの場合においても、利用側熱交換器７と８の２つの熱交換器を使用して凝縮又は蒸発が互いに逆となるものであり、熱量のバランスから凝縮の熱量が大きくなるので、除湿は行うが室内温度を暖めることになる。
【００７０】
＊室外温度Ｔhs−設定温度Ｔuser≦０かつ室内温度Ｔapp−設定温度Ｔuser≧０の場合
自然循環式サイクルである運転モード２０６を選択する。例えばＴhs＝１５℃で設定温度Ｔuser＝２３℃、室内温度Ｔapp＝２７℃の場合である（図８と図９を参照）。このとき、第１の利用側熱交換器６のみ蒸発となり、利用側空気流れ３０５は冷却され、室内ユニット１０１は冷房運転となる。
【００７１】
室内温度と設定温度の差に応じて、自然循環式サイクル側の第１の流量調整弁５の開度を調整することで、利用側熱交換器６の蒸発温度を調整し、所定の設定温度を得ることができる。このモードでは、圧縮機１は停止しており、消費電力は内外の送風機動力のみとなる。このため、圧縮式サイクルである運転モード２０１を選択するよりも消費電力を大幅に低減できる。
【００７２】
＊室外温度Ｔhs−設定温度Ｔuser≦０かつ室内湿度Ｈapp−設定湿度Ｈuser≧０の場合
自然循環式サイクルと圧縮式サイクルの併用運転である運転モード２０７を選択する（図１０と図１１を参照）。このとき、第１と第２の利用側熱交換器６，７の冷媒側が蒸発、第３の利用側熱交換器８の冷媒側が凝縮となる。
【００７３】
利用側送風機２１より出た空気流れ３０５は、第１と第２の利用側熱交換器６，７で冷却・減湿され、第３の利用側熱交換器８で再加熱され、設定温湿度に調整される。第１の利用側熱交換器６の蒸発温度は自然循環式サイクル側の第１の流量調整弁５の開度により、任意に調整され、第２の利用側熱交換器７の蒸発温度、第３の利用側熱交換器８の凝縮温度は、圧縮式サイクル側の圧縮機１および、熱源側熱交換器４の凝縮温度を熱源側送風機２０から出る熱源側空気流れ３１０の風量、あるいは第２の流量調整弁９の開度により任意に調整が可能である。
【００７４】
具体的には、例えば室外温度Ｔhs＝１５℃で設定湿度Ｈuser＝４０％、室内湿度Ｈapp＝６０℃かつ、設定温度Ｔuser＝２３℃、室内温度Ｔapp＝２５℃の場合、自然循環式サイクル側の第１の流量調整弁５の開度を増すことで、第１の利用側熱交換器６の蒸発温度を下げて、空気の露点温度との差を大きくして除湿量を確保しながら、圧縮式サイクル側の圧縮機１の回転数を下げることで第３の利用側熱交換器８の凝縮温度を低めにして、除湿しながら冷房運転を行う。
【００７５】
あるいは、設定温度Ｔuser＝２３℃、室内温度Ｔapp＝２０℃で、室内温度Ｔapp−設定温度Ｔuser≦０であれば、自然循環式サイクル側の第１の流量調整弁５の開度を減らすことで、第１の利用側熱交換器６の蒸発温度を上げて、空気の顕熱のみ取るようにし、圧縮式サイクル側の圧縮機１の回転数を上げることで、第３の利用側熱交換器８の凝縮温度を高めにして、除湿しながら暖房運転を行う。
【００７６】
このことで、圧縮式サイクルのみの運転である運転モード２０３，２０４を選択するよりも圧縮機１の動力を低減することができ、消費電力を低減できる。
【００７７】
以上のように、利用側空気流れの温湿度を任意に設定するため、室外温度に応じて、最も運転効率の良い運転モードを選択することで、大幅に消費電力を低減することが可能となる。
【００７８】
第２の実施形態に係る空気調和装置における各構成要素の配置構成を示す構成例１（図１２を参照）では運転モード２０３のように（図４と、図５の実線矢印とを参照）、再熱除湿（冷却除湿・再加熱）運転時に利用側送風機２１の風上側に、冷媒側が蒸発である利用側熱交換器がない場合には（図１２では風上側の利用側熱交換器６，７は凝縮）、空気を露点温度以下まで下げて減湿後、加熱するという工程ができない。しかしながら、図１４に示す第２の実施形態の構成例２の採用することにより運転が可能となる。
【００７９】
具体的には、第１の利用側熱交換器６は、利用側空気流れ３０６と熱交換し、第２の利用側熱交換器７は、利用側空気流れ３０７と熱交換し、第３の利用側熱交換器８は、利用側空気流れ３０８と熱交換するように、空気の流れに平行に利用側熱交換器を設置する。
【００８０】
図１４に図示した利用側送風機２２は熱交換器を介して空気を吸い込む送風機であるが、室内ユニット１０１の形態にあわせて、熱交換器に空気を押し込む送風機でも良い。このことで、運転モード２０３が運転可能となる。運転モード２０３により冷媒側が凝縮である第１と第２の利用側熱交換器６，７により加熱された利用側空気流れ３０６，３０７と、冷媒側が蒸発である第３の利用側熱交換器８により冷却・減湿された利用側空気流れ３０８は、利用側送風機２２を通過しながら混合し、所望の温湿度に調整される。
【００８１】
ここで、運転モード２０４を選択すると（図４と、図５の点線矢印）、熱源側熱交換器４の冷媒側が蒸発のため、全体の蒸発温度が上がってしまい除湿量が確保できない高い外気温度では除湿ができないが、このような高い外気温度でも運転モード２０３を選択すれば除湿が可能となり、除湿運転範囲が拡大する。
【００８２】
［本発明の第３の実施形態］
次に、本発明の第３の実施形態に係る空気調和装置について、図１５、図１６及び図１７を参照しながら以下詳細に説明する。図１５は本発明の第３の実施形態に係る空気調和装置における各構成要素の配置構成を示す構成例１のブロック図である。図１６は第３の実施形態に係る空気調和装置における各構成要素の配置構成を示す構成例２のブロック図である。図１７は第３の実施形態に係る空気調和装置における各構成要素の配置構成を示す構成例３のブロック図である。
【００８３】
本発明の第３の実施形態に係る空気調和装置は、第１の実施形態と対比すると、利用側熱搬送媒体が水であって熱源側熱搬送媒体が空気であることについて、構成上差異を有している。図１５において、符号１から１６までの各構成要素は、第１の実施形態と同じである。ただし、第１から第３の利用側熱交換器６から８、圧縮機１、熱源側熱交換器４を含むユニット１０２は、第３の実施形態に係る空気調和装置の室外（熱源側）ユニットである。
【００８４】
第３の実施形態における室内（被空調側）ユニットは１０３であり、室内ユニット１０３は液配管５０から５２により、室外ユニット１０２と接続されており、液配管５０〜５２のそれぞれの室内ユニット１０３側には空気と熱交換する第１から第３の二次利用側熱交換器４０から４２が設置されている。
【００８５】
また、第１から第３の二次利用側熱交換器４０から４２は、利用側送風機２１から出る利用側空気流れ３０９の上流側から順に直列に配置されている。熱源側ユニット１０２側では、液配管５０から５２がそれぞれ第１から第３の利用側熱交換器６から８と接続されている。液配管５０から５２の経路には液ポンプ３０から３２が設置され、液配管内の流体を循環させることができる。
【００８６】
以上のように構成された本発明の第３の実施形態の空気調和装置の運転モードに対する各構成要素の動作については、第１の実施形態で説明した各運転モードの動作と同じであるため、それを援用し、ここでは詳細な説明を省略する。
【００８７】
また、第３の実施形態に係る空気調和装置の構成例１では第１から第３の利用側熱交換器６から８それぞれが二次利用側熱交換器４０から４２と接続されている。したがって、各モードの外気温や室内温度に対する利用側熱交換器各々の作用および運転範囲については、第２の実施形態と同じである。
【００８８】
第３の実施形態に係る空気調和装置の構成例１のように、常温で相変化する冷媒を用いる熱源サイクルで作った熱を、水などの液冷媒を介して授受することで空調するシステムでは、熱源サイクル側に可燃性の冷媒や毒性のある冷媒を用いることも比較的容易である。また、他の熱システムからの廃熱を空調側に持ち込むことも比較的容易に可能となる。
【００８９】
次に、図１６に示す第３の実施形態に係る空気調和装置の構成例２は、第１の利用側熱交換器６と第１の二次利用側熱交換器４０の液配管と、第２の利用側熱交換器７と第２の二次利用側熱交換器４１の液配管と、をひとつにして液配管５３としたものであり、液ポンプ３４を介して、第１の二次利用側熱交換器４３、第２の利用側熱交換器７、第２の二次利用側熱交換器４４をとおり液ポンプ３４へ戻る液配管となる。
【００９０】
第３の利用側熱交換器８と第３の二次利用側熱交換器４５、液ポンプ３３を通る液配管５４は、図１５に示す構成例１と同じである。
【００９１】
図１６に示すような構成にすることで、液を搬送するポンプが２台となり、図１５に示す構成例１に比べより消費電力を低減できる。
【００９２】
次に、図１７に示す第３の実施形態に係る空気調和装置の構成例３は、第１の利用側熱交換器６と第２の利用側熱交換器７に対する二次利用側熱交換器４６を一つとし、二次利用側熱交換器４６と液配管５５と液ポンプ３７と、利用側熱交換器６，７を接続した構成である。このような構成にすることで、液を搬送するポンプを２台とするだけでなく、室内ユニット１０３と熱源ユニット１０２を接続する配管も少なくできる。
【００９３】
［本発明の第４の実施形態］
次に、本発明の第４の実施形態に係る空気調和装置について、図１８を参照しながら以下詳説明する。図１８は本発明の第４の実施形態に係る空気調和装置における各構成要素の配置構成を示すブロック図である。本発明の第４の実施形態に係る空気調和装置は、利用側熱搬送媒体、熱源側熱搬送媒体ともに空気あるいは水である。図１８において、室外ユニット１００と室内ユニット１０１の構成は、第２の実施形態で説明した構成と同じであるので、それの説明を援用し、ここでは説明を省略する。
【００９４】
第４の実施形態の構成は、室外ユニット１００の熱源側熱交換器４に接続されている冷媒配管１１と、第１の流量調整弁５と接続されている冷媒配管１３とに対して、それぞれ冷媒配管８０と８１が接続されており、これらの冷媒配管８０，８１が給湯・蓄熱ユニット１０４に接続されている。
【００９５】
給湯・蓄熱ユニット１０４は、給湯手段６０と蓄熱手段６１から構成され、冷媒配管８０と８１は、給湯手段６０に設けられた吸熱部６２に接続されている。給湯手段６０と蓄熱手段６１は互いに図示しない液配管で接続されており、蓄熱手段６１は、図示しない水などの液冷媒を蓄えるタンクを有し、液冷媒を介して、太陽熱などの再生可能エネルギや、室外ユニット１００の廃熱を蓄えることができ、また、蓄熱した熱を給湯手段６０へ放熱することもできる。給湯手段６０はヒートポンプ式の給湯器であり、室外空気、蓄熱手段６１、室外ユニット１００からの廃熱を利用して、吸熱部６２を介して効率よく給湯することができる。
【００９６】
このように、室外ユニット１００と給湯・蓄熱ユニット１０４を接続することで、室外ユニット１００で捨てる廃熱を有効に活用することができ、システムとして消費電力を削減できる。ここで、第４の実施形態では、図１２に示す第２の実施形態に接続する例を示したが、同様に図１５〜図１７に示す第３の実施形態の熱源ユニット１０２に接続することでも同様の効果を得ることができる。
【符号の説明】
【００９７】
１  圧縮機
２  第１の流路切替弁
３  第２の流路切替弁
４  熱源側熱交換器
５  第１の流量調整弁
６〜８  第１〜第３の利用側熱交換器
９  第２の流量調整弁
１０〜１６  冷媒配管
２０  熱源側送風機
２１  利用側送風機
２２  利用側送風機
３０〜３５  液ポンプ
４０〜４７  ２次利用側熱交換器
５０〜５６  液配管
６０  給湯手段
６１  蓄熱手段
６２  吸熱部
１００，１０２  熱源側システム
１０１，１０３  利用側システム
１０４  蓄熱・給湯システム
２００〜２０７  運転モード
３００，３０２，３０３，３０４  利用側熱媒体流れ
３０１  熱源側熱媒体流れ
３０５〜３０９  利用側空気流れ
３１０  熱源側空気流れ
【図１】
2011085294.tif 000003
【図２】
2011085294.tif 000004
【図３】
2011085294.tif 000005
【図４】
2011085294.tif 000006
【図５】
2011085294.tif 000007
【図６】
2011085294.tif 000008
【図７】
2011085294.tif 000009
【図８】
2011085294.tif 000010
【図９】
2011085294.tif 000011
【図１０】
2011085294.tif 000012
【図１１】
2011085294.tif 000013
【図１２】
2011085294.tif 000014
【図１３】
2011085294.tif 000015
【図１４】
2011085294.tif 000016
【図１５】
2011085294.tif 000017
【図１６】
2011085294.tif 000018
【図１７】
2011085294.tif 000019
【図１８】
2011085294.tif 000020